(57)【要約】　　　（修正有）【課題】　必要に応じてスペースの配列パターンや数を変更したりすることの可能な置物用キャビネットを提供する。【解決手段】　平行な２本の垂直な支持軸２によって水平方向での向きが規制された置物収容空間を形成するセル１を、上下方向に段積みしかつ平面視で横方向に並べる。支持軸２が、上下方向に段積みした複数のセルを貫通する長さを有し、上下方向に段積みされた相隣接する２つのセル１の相互間で、２本ずつの支持軸のうちの少なくとも１本を共用させることができる。平面視で横方向に並んだ複数のセル１でなる平面視横長のセル列１ａ，１ｂ，１ｃを湾曲形状、屈曲形状又は枝分かれ形状に形作る。【選択図】　図１
0003100434.tif 000002
【実用新案登録請求の範囲】
【請求項１】
平行な２本の垂直な支持軸によって水平方向での向きが規制された置物収容空間を形成するセルを、上下方向に段積みしかつ平面視で横方向に並べてなることを特徴とする置物用キャビネット。
【請求項２】
上記支持軸が、上下方向に段積みした複数のセルを貫通する長さを有していると共に、上下方向に段積みされた相隣接する２つのセルの相互間では、それぞれのセルの水平方向の向きを規制している２本ずつの支持軸のうちの少なくとも１本が共用されている請求項１に記載した置物用キャビネット。
【請求項３】
平面視で横方向に並んだ複数の上記セルでなる平面視横長のセル列が湾曲形状、屈曲形状又は枝分かれ形状に形作られている請求項２に記載した置物用キャビネット。
【請求項４】
複数の上記セル列を組み合わせることによって構成された自立可能な構造体を備えている請求項３に記載した置物用キャビネット。
【考案の詳細な説明】
【技術分野】
【０００１】
　本考案は、置物用キャビネット、特に置物収容空間を形成する多数のセルを集合させることによって形成された置物用キャビネットに関する。
【背景技術】
【０００２】
　書物を並べて保管するためのキャビネットに本棚があり、この本棚は、一般的には１段又は多段の棚板を備えていて、書物を置くスペースはその全体が本棚の前側で開口しており、書物の出入れは本棚の前側で行うようになっていた。また、書物を置くスペースを仕切り板で小さなスペースに区画したものもあるが、このような本棚でも、すべてのスペースについて書物を出入れするのは本棚の前側からであった。書物以外の置物、たとえば人形や食器などの置物を置くための従来のキャビネットについても、置物を置くスペースの全体がキャビネットの前側を向いていて、置物を出入れするのはキャビネットの前側から行うようになっていた。
【考案の開示】
【考案が解決しようとする課題】
【０００３】
　ところで、広い室内空間を利用して書物やその他の置物を優れたインテリア性を確保して保管したり書物を閲覧に供したりしたい場合や、室内に設置してある器物の相互間の空間を利用して書物などの置物を並べて置きたい場合などがある。また、有名人・著名人が選んだ限られた冊数又は種類の書物を、従来既存の上記のような本棚ではなく、三次元に並べて配備した多数の小さなスペースに小分けして収容しておきたいような場合もある。
【０００４】
　本考案はこれらの各場合に適切に対処することが可能で、必要に応じてスペースの配列パターンや数を変更したりすることの可能な置物用キャビネットを提供することを目的とする。
【課題を解決するための手段】
【０００５】
　本考案に係る置物用キャビネットは、平行な２本の垂直な支持軸によって水平方向での向きが規制された置物収容空間を形成するセルを、上下方向に段積みしかつ平面視で横方向に並べてなる、というものである。
【０００６】
　この考案によれば、２本の支持軸の並び方向を変更することによってそれらの支持軸と組み合わせられるセルの向きが変更される。そのため、そのようにして向きを適切に定めたセルを上下方向に段積みしかつ平面視で横方向に並べることによって、それぞれのセルによって形成されている置物収容空間としての小スペースが上下方向及び平面視で横方向に並んだものになる。そして、平面視で横方向には前後方向と左右方向とが含まれるから、置物収容空間としての小スペースを、上下方向、前後方向及び左右方向の三次元に並べることが可能になる。したがって、たとえば、広い室内空間を全体的に利用して多くの小スペースを配備したり、室内に設置してある器物の相互間の空間を利用して多くの小スペースを配備したり、あるいは、有名人・著名人が選んだ限られた冊数又は種類の書物を、三次元に並べて配備した多数の小スペースに収容しておくことが可能になる。その上、セルの数を増減することも可能である。
【０００７】
　本考案では、上記支持軸が、上下方向に段積みした複数のセルを貫通する長さを有していると共に、上下方向に段積みされた相隣接する２つのセルの相互間では、それぞれのセルの水平方向の向きを規制している２本ずつの支持軸のうちの少なくとも１本が共用されている、という構成を採用することが可能である。これによれば、セルの個数の割に支持軸の本数が少なくて済む。また、２本の支持軸のうちの１本だけが、上下方向に段積みされた２つのセルに対して共用されているものでは、平面視で横方向に並んだセル同士を、それらの上段側又は下段側に配備されたセルによって一体的に連結することができるので、そうすることによって当該キャビネットを形成している多数のセルによって、１つの連結一体化された構造体が形作られるようになる。そのために、個々のセルが位置ずれしたり個々のセルと組み合わされている２本の支持軸が倒されたりしにくい。
【０００８】
　本考案では、平面視で横方向に並んだ複数の上記セルでなる平面視横長のセル列が湾曲形状、屈曲形状又は枝分かれ形状に形作られている、という構成を採用することも可能である。この構成を採用した当該キャビネットによると、その平面視形状のバリエーションの自由度が大きくなり、様々な空間形態に対応して当該キャビネットを設置することが可能になる。
【０００９】
　本考案では、複数の上記セル列を組み合わせることによって構成された自立可能な構造体を備えていることが望ましい。これによれば、セル列の組み合わせによって構成された構成体が自立可能であるために、セルを貫通している支持軸の並べ方を変更することによって構造体の形状を変更することが可能になる。したがって、当該キャビネットを設置しようとする空間形状に併せて当該キャビネットを無理なく設置することが可能になる。
【考案の効果】
【００１０】
　以上のように、本考案の置物用キャビネットによれば、今までにない二次元的あるいは三次元的な形態を自由に形作ることが可能であるため、広い室内空間の全体を利用して書物やその他の置物を置くのに優れたインテリア性を確保することが可能になり、室内の器物の相互間の空きスペースを利用して書物やその他の置物を並べて置くのに便利であり、さらに、有名人・著名人が選んだ限られた冊数又は種類の書物を、従来既存の上記のような本棚ではなく、三次元に並べて配備した多数の小さなスペースに小分けして収容しておきたいような場合にも好適に採用することが可能になる。また、必要に応じてセルの数を追加したり削減したりすることも可能であるという利点もある。
【考案を実施するための最良の形態】
【００１１】
　図１は本考案の実施形態に係る置物用キャビネットに用いられるセル１と支持軸２との組み合わせを例示した説明図、図２はキャビネットＡの正面図、図３は変形例によるキャビネットＡの正面図、図４は図２又は図３のキャビネットＡの平面図、図５は他の変形例によるキャビネットＡの平面図、図６（Ａ）はセル１の縦断面図、（Ｂ）は変形例によるセル１の縦断面図、図７は支持軸２としてのポストの一部破断正面図、図８は好ましい着座具３５を示した正面図、図９は変形例による支持軸２の使用状態を示した断面図である。
【００１２】
　このキャビネットＡは、多数個のセル１…と複数本の支持軸２…とを組み合わせることによって形成され、その組み合わせの最小単位は、図１に示したように平行な２本の垂直な支持軸２，２と１個のセル１である。
【００１３】
　図６（Ａ）のように、セル１は下板部１２と上板部１３と左右の側板部１４と背板部１５とを備える前面開放の箱体でなり、下板部１２及び上板部１３のそれぞれの左右２箇所に上下同心状に位置する貫通孔１６，１７が開設されている。そして、図１のように、それぞれの貫通孔１６，１７に各別に支持軸２，２が貫通している。このように２本の支持軸２と組み合わされたセル１は、２本の支持軸２の並び方向を変更することによってその向きが変わる。たとえば、２本の支持軸２のうちの片側１本の位置を固定しておき、残りの他側１本の支持軸２の位置を片側の支持軸２の周りで変更すると、その支持軸２とセル１とが相対的に回動してセル１の向きが変更される。また、セル１の高さは、２本の支持軸２に対してセル１を上下にスライドさせることによって自由に変えることができる。また、セル１として図６（Ｂ）のものを用いることもできる。このセル１は、下板部１２と上板部１３と左右の側板部１４とを備えていて、前面と背面との両方が開口した箱体でなり、下板部１２及び上板部１３のそれぞれの左右２箇所に上下同心状に位置する貫通孔１６，１７が開設されており、それぞれの貫通孔１６，１７に各別に支持軸を貫通させるようになっている。さらに、図示していないけれども、セル１の開放箇所に開閉扉を取り付けておくことも可能である。
【００１４】
　図２〜図４に示した事例では、平行な２本の垂直な支持軸２によって水平方向での向きが規制された所要数のセル１が、上下方向に段積みされ、かつ、平面視で横方向に並べられていることによって置物用キャビネットＡが構成されている。この事例において、上下方向に段積みされたセル１には、他のセル１と組み合わされた２本の支持軸２の両方を共用しているもの（たとえばセル１ａとセル１ｂ）と、他のセル１と組み合わされた２本の支持軸２のうちの１本だけを共用しているもの（たとえばセル１ａとセル１ｃ）とがある。そして、図４のようにすべてのセル１が平面視で横一列に並んでいる。個々のセル１に図６（Ａ）で説明したセル１を用いる場合、そのセル１の開放口１８を図２又は図３のようにすべて同一方向に向けておいてもよいが、場合によっては、個々のセル１の開放口１８の向く方向をキャビネットＡの前側に向けたり後側に向けたりすることもできる。これに対し、個々のセル１に図６（Ｂ）で説明したセル１を用いる場合には、キャビネットＡの前側と後側との両方に開放口１８が位置するようになる。
【００１５】
　図２及び図４に示したキャビネットＡにおいて、平面視で横方向に並んでいる複数のセル１は、上下方向でレンガ積み状に段積みされているのに対し、同一段のセル１同士の相互間には隙間Ｓが確保されている。２本の支持軸２のうちの１本を共用している２つのセル１，１（たとえばセル１ａとセル１ｃ）において、上段側のセル１（１ｃ）は、下段側のセル１（１ａ）を所定の高さに配備した後、その左右の貫通孔１６，１７を利用して２本の支持軸２に嵌合させることによって下段側のセル１（１ａ）の上に載架されている。また、最下段に位置する複数のセル１でなるセル列は、図示していない台座や床面などの設置面Ｆなどの上に載置される。一方、上下方向に段積みされたセル１では、下段側のセル１の上に他のセル１を重ね合わせて載置した構成になっている。
【００１６】
　また、図３及び図４に示したキャビネットＡでは、図２に示したキャビネットＡに用いられている所要箇所に配備されている所要数のセル１を省略することによって、それらのセル１の省略箇所に門形スペースＧを形成してある。この門形スペースＧは人の通路として利用したり、他の置物の設置スペースとして利用したりすることができる。なお、門形スペースＧを形成する場合には、その門形スペースＧの上側に位置するセル１に無理な荷重が加わらないようにしておくことが要求される。言い換えれば、セル１に無理な荷重が加わらないという条件下で門形スペースＧを形成することが望まれる。
【００１７】
　図２又は図３のように、この実施形態において、支持軸２は上下方向に段積みした所要数のセル１を貫通する長さを有している。また、図７のように、この支持軸２は、上下多段に連結された複数本のポスト３に分割されていて、その分割箇所では、上段側のポスト３の下端に設けたねじ軸部３１を下段側のポスト３の上端に設けたねじ孔３２にねじ込んで連結してあり、必要に応じてその連結箇所にワッシャ３３が介在されている。また、最下段のポスト３の下端に着座具３５を連結して設置面Ｆに着座させてある。この構成を採用すると、ポスト３を追加又は削減することにより、段積みするセル１の数に応じて支持軸２を延長したり短縮したりすることが可能になる。
【００１８】
　図２〜図４で示した事例は、上下方向に段積みされているセル１のすべてが、平面視で横一列に並べられているけれども、この点は、たとえば図４のように、平面視で横方向に並んだ複数のセル１でなる平面視横長のセル列１ａ，１ｂ，１ｃを様々な形状にしてキャビネットＡの全体を、多数のセル１を１つの連結一体化した構造体として形作ることができる。図４において、セル列１ａは平面視で横一列に並んでいるのに対し、他の２つのセル列１ｂ，１ｃは、平面視で横一列に並んでいるセル列１ａから枝分かれ形状に形成されていると共に、それら自体は湾曲形状に曲がっている。なお、図示していないけれども、セル列を直角又はその他の角度に屈曲した形状にすることも可能である。
【００１９】
　平面視で横一列に並んでいるセル列１ａでは、所要本数の支持軸２が横一列に並び、湾曲形状に曲がっているセル列１ｂ，１ｃでは、所要本数の支持軸２が仮想湾曲線上に配列されている。また、直角又はその他の角度に屈曲した形状のセル列では、所要本数の支持軸２を仮想の屈曲線上に配列されることになる。そして、複数のセル列１ａ，１ｂ，１ｃを組み合わせることによって構成された自立可能な構造体を形成するようにすると、セル列１ａ，１ｂ，１ｃの組み合わせによって構成された構成体が自立可能であるために、セルを貫通している支持軸２の並べ方を変更することによって構造体の形状も変更される。このことを利用すると、当該キャビネットＡを設置しようとする空間形状に併せて当該キャビネットＡを無理なく設置することが可能になる。また、キャビネットＡを形成している上記構造体は、２つ以上の支持軸２に設けられている着座具３５を介して自立し、しかも、セル１の貫通孔１６，１７を貫通している支持軸２とセル１とは相対的に回動可能であって、両者が固定されているものではないので、多数のセル１が構造体を形成している状態のまま支持軸２の位置を変更させることにより、その構造体の形状ひいてはキャビネットＡの形状を変更することが可能である。
【００２０】
　図２〜図４のように二次元的に形作られたキャビネットＡや、図５のように三次元的に形作られたキャビネットＡにおいては、個々のセル１によって小分けされたスペースとしての置物収容空間が形成され、その置物収容空間には、たとえば図２又は図３のセル１ａについて例示したように、任意冊数の書物Ｂを収容することができる。したがって、たとえば、有名人・著名人が選んだ限られた冊数又は種類の書物を、二次元又は三次元に並べて配備した多数の小さなスペースに小分けして収容しておくという使い方ができるほか、書物以外の人形その他の置物を展示したりすることにも使用可能である。
【００２１】
　以上説明した実施形態では、所要本数のすべての支持軸２が、上下方向に段積みした所要数のセル１を貫通して、その段積み高さに見合う長さを有しているけれども、支持軸２は必ずしもこのようなものに限定されない。たとえば、図７のように、２つのセル１の貫通孔１６，１７に嵌合されてそれら２つのセル１を位置決めする短軸部２１を備えたものであってもよく、このような短軸部２１を備えた支持軸２を、上記したポスト３を使った支持軸２と置き換えてセル１同士の連結に用いることも可能である。なお、図例の短軸部２１はその軸方向中間部に仕切り輪部２２を備えていて、この仕切り輪部２２によって短軸部２１が貫通孔１６，１７から抜け落ちるのを防ぐようにしてある。
　図８は好ましい着座具３５を示している。この着座具３５は、ポスト３との結合箇所に水平座３５ａを備え、この水平座３５ａによって、セル１を支え得るようにしてある。
【００２２】
　本考案のキャビネットＡにおいて、平面視で横方向に並んだ複数のセルでなる平面視横長のセル列は、図３や図４に示した形状以外の湾曲形状であってもよい。たとえば平面視で渦巻き形状であっても、円形であっても、波形であってもよい。屈曲形状についても同様で、たとえば星形などの特殊形状にも形成することができる。
【図面の簡単な説明】
【００２３】
【図１】本考案の実施形態に係る置物用キャビネットに用いられるセルと支持軸との組み合わせを例示した説明図である。
【図２】キャビネットの正面図である。
【図３】変形例によるキャビネットの正面図である。
【図４】図２又は図４のキャビネットの平面図である。
【図５】他の変形例によるキャビネットの平面図である。
【図６】（Ａ）はセルの縦断面図、（Ｂ）は変形例によるセルの縦断面図である。
【図７】支持軸としてのポストの一部破断正面図である。
【図８】好ましい着座具を示した正面図である。
【図９】変形例による支持軸の使用状態を示した断面図である。
【符号の説明】
【００２４】
　１　セル
　２　支持軸
【図１】
0003100434.tif 000003
【図２】
0003100434.tif 000004
【図３】
0003100434.tif 000005
【図４】
0003100434.tif 000006
【図５】
0003100434.tif 000007
【図６】
0003100434.tif 000008
【図７】
0003100434.tif 000009
【図８】
0003100434.tif 000010
【図９】
0003100434.tif 000011